(57)【特許請求の範囲】
【請求項１】
放電部と対極部とからなり、放電による活性酸素を発生させると共に放電部から対極部に向かう放電により粉塵を帯電させる帯電部と、放電部で電荷が付与された粉塵をクーロンカで電気的に捕捉できるように帯電処理を施した集塵部と、帯電部及び集塵部に空気を送る送風手段とを具備し、上記集塵部のフィルター層が、放電部側に配置される除塵層と、放電部側と反対側に配置される脱臭層とからなり、除塵層の少なくとも放電部側の面にアセトアルデヒドを除去するためのアミン系化合物が添着され、このアミン系化合物は、硫酸アミン、ポリアリルアミン、界面活性剤のうちの１種、又は２種以上で構成されていることを特徴とする空気清浄機。
【請求項２】
除塵層の放電部側に酸化触媒を担持させたことを特徴とする請求項１記載の空気清浄機。
【請求項３】
除塵層の放電部側に吸着材を担持させたことを特徴とする請求項１記載の空気清浄機。
【請求項４】
請求項１のアミン系化合物を吸着材に含浸させたものをフィルター層に担持させたことを特徴とする空気清浄機。
【請求項５】
アミン系化合物を混合したバインダーにより、酸化触媒を除塵層に担持させたことを特徴とする請求項２記載の空気清浄機。
【発明の詳細な説明】
【０００１】
【発明の属する技術分野】
本発明は、空気清浄機に関し、詳しくは、放電部で電荷が付与された粉塵をクーロンカで電気的に捕捉できるように帯電処理を施した集塵部においてアセトアルデヒドを除去するための技術に関するものである。
【０００２】
【従来の技術】
従来、家庭内で発生する粉塵及び脱臭するための空気清浄機として種々のものが提供されており、除塵、脱臭フィルターは、繊維状の不織布、吸着材を組合せてからなるフィルターが主流である。また特開２０００−４８６のように、放電により活性酸素を発生させる放電極ブロックと、酸化触媒、吸着材を組合せたものがある。この従来方式では、たばこ煙、たばこ臭に含まれるアンモニアに対しては十分であるが、特に、たばこ臭に含まれるアセトアルデヒドにおいては不十分である。
【０００３】
アセトアルデヒドの除去については、薬剤処理における方法があるが、初期性能、寿命の面において、十分とはいえなかった。
【０００４】
【発明が解決しようとする課題】
本発明は、前記の従来例の問題点に鑑みて発明したものであって、その目的とするところは、たばこ煙やたばこ臭に含まれるアセトアルデヒドを十分に除去することができる空気清浄機を提供するにある。
【０００５】
【課題を解決するための手段】
前記課題を解決するために請求項１記載の発明にあっては、放電部１と対極部２とからなり、放電による活性酸素を発生させると共に放電部１から対極部２に向かう放電により粉塵を帯電させる帯電部３と、放電部１で電荷が付与された粉塵をクーロンカで電気的に捕捉できるように帯電処理を施した集塵部４と、帯電部３及び集塵部４に空気を送る送風手段５とを具備し、上記集塵部４のフィルター層４ａにアセトアルデヒドを除去するためのアミン系化合物１５を添着し、このアミン系化合物は、硫酸アミン、ポリアリルアミン、界面活性剤のうちの１種、又は２種以上で構成されていることを特徴としており、このように構成することで、集塵部４に吸い込まれた空気がフィルター層４ａを通過する際に、アミン系化合物１５にアセトアルデヒドが化学吸着され、放電部１より発生する活性酸素によってアセトアルデヒドが酸化分解され、アセトアルデヒドを十分に除去できるようになる。
【０００６】
また、集塵部４のフィルター層４ａは、放電部１側に配置される除塵層１７と、放電部１側と反対側に配置される脱臭層１８とからなり、除塵層１７の少なくとも放電部１側の面にアミン系化合物１５が添着されていることを特徴とする。アミン系化合物１５とアセトアルデヒドとの化学結合部に対してアタックする活性酸素の量を増やすことができる。
【０００７】
また請求項２記載の発明は、請求項１において、除塵層１７の放電部１側に酸化触媒６０を担持させることを特徴とするのが好ましく、この場合、酸化触媒６０が放電部１からの活性酸素で励起されることで、アセトアルデヒドの酸化分解がより促進される。
【０００８】
また請求項３記載の発明は、請求項１において、除塵層１７の放電部１側に吸着材７０を担持させることを特徴とするのが好ましく、この場合、たばこ臭等に含まれるアンモニアが吸着材７０にて除去され、アミン系化合物１５によるアセトアルデヒドの除去効率が高まる。
【０００９】
また請求項４記載の発明は、請求項１のアミン系化合物１５を吸着材７０に含浸させたものをフィルター層４ａに担持させたので、吸着材７０とアミン系化合物１５とを同時にフィルター層４ａに担持できるようになる。
【００１０】
また請求項５記載の発明は、請求項２において、アミン系化合物１５を混合したバインダーにより、酸化触媒６０を除塵層１７に担持させることを特徴とするのが好ましく、この場合、除塵層１７にバインダーを塗布するだけで、アミン系化合物１５と酸化触媒６０の両方を同時に担持させることができる。
【００１１】
【発明の実施の形態】
以下、本発明を添付図面に示す実施形態に基づいて説明する。
【００１２】
本実施形態の空気清浄機の一例を図９〜図１２に示す。図９は、横向き姿勢で壁に設置される壁付けタイプの空気清浄機４３の内部構造の一例を示している。この空気清浄機４３は、放電部１及び対極部２を有し、放電部１から対極部２へ向かう放電により粉塵を帯電させる帯電部３と、帯電された粉塵を捕集する集塵部４と、これら帯電部３及び集塵部４へと空気を送る送風手段５と、これらを収納する箱型のハウジング７とを備えている。ハウジング７は壁表面Ｗに近接配置され、ハウジング７と壁表面Ｗとの間には、銅を含有させた不織布からなる導電性シートＳが介在されており、導電性シートＳと帯電部３の電気回路とが電気的に接続されている。ハウジング７の後側上端部分には支持片部４９が一体に形成され、家屋内の壁表面Ｗに取り付け固定された支持金具１１に支持片部４９を係止させることによって、壁表面Ｗにハウジング７は容易に引っ掛け支持されるようになっている。
【００１３】
ハウジング７は、前面が開口した横長の箱型で、ハウジング７の開口した前面には、この開口全面を閉塞するグリル９が取り付けられている。ハウジング７の上側面部には空気吐出口１０が、下側面部には空気吐出口１０よりも開口面積の大きい空気取り入れ口７ａが各々配設されている。また、グリル９の中程部分は若干前方に膨曲した前面部として形成され、この前面部の上下両側に細長状の空気取り入れ口７ｃ、７ｂがそれぞれ形成されている。ここでは、空気取り入れ口７ａと空気取り入れ口７ｂとが、帯電部３及び集塵部４の周辺付近に配置されている。上下両側の空気取り入れ口７ｃ，７ｂは、横方向に長い長方形状に形成され、複数の横長スリットを並設した様相のガラリ状枠体が両空気取り入れ口７ｂ，７ｃに各々着脱自在に取り付けられている。
【００１４】
ハウジング７内には、図８に示すように、プレフィルタ１２、帯電部３となる放電部１及び対極部２、集塵部４が吸込側からこの順で収容配置され、機械的及び電気的に集塵するものとして、ハウジング７に内装されている。ここで、プレフィルタ１２は比較的大きな粉塵を補集するものであり、帯電部３は吸い込まれた粉塵を帯電させるもので、集塵部４は粉塵を補集したり臭気分を脱臭したりするものである。帯電部３及び集塵部４は、図９に示すように、両者間の隙間がその外周で閉塞されるように一体のケーシング６内に収容保持されている。ケーシング６は合成樹脂製一体成形品からなり、上下方向に開口する矩形箱型に形成されている。ケーシング６には、対極部２を保持する係止部８がケーシング６と一体に形成されており、ケーシング６はハウジング７に出し入れできるように、前後方向にスライド自在に係合保持されている。
【００１５】
ケーシング６内には、放電部１となる複数本の放電線１３が張設されていると共に、放電線１３に対向配置されるように波型で多数の小孔を有したパンチングネットからなる対極部２が取り付けられている。放電線１３は、例えば線形の細いタングステン線或いはピアノ線で形成されている。ここでは放電部１として、複数本の放電線１３に代え、放電用の電極としての薄板状の打ち抜き針を用いてもよい。
【００１６】
また、ケーシング６内に収容保持される集塵部４は、極細の繊維が配合された濾材で形成される除塵層１７と、その下流側に活性炭１８ａが充填された脱臭層１８とを備えている。除塵層１７については後述する。なお図２中の１９は導電性を有するカバーリング材であり、ハウジング７の最下流側に装着されている。
【００１７】
集塵部４の下流側には、送風手段５としてシロッコファンからなるファン１６Ａが設置されている。ファン１６Ａはモータ１４によって駆動されるもので、ファン１６Ａを駆動させると、空気取り入れ口７ａ，７ｂ，７ｃからハウジング７内に空気が吸い込まれ、プレフィルタ１２から帯電部３及び集塵部４を通過して、機械的及び電気的に浄化される。このときプレフィルタ１２で粗いホコリが除去され、次の帯電部３でホコリ等を帯電させる。この帯電したホコリはクーロン力で次の集塵部４のフィルタ部に引き寄せられて除去され、臭い（ガス）成分はフィルタ内部の活性炭１８ａに吸着される。フィルタを通過した空気は送風手段５を経て空気吐出口１０からハウジング７の外部へ排出されて、家屋内の汚れた空気から粉塵や臭気等が補集、脱臭されるようになっている。
【００１８】
一方、図１０は縦向き姿勢で床に設置される状態を示し、図１１は横向き姿勢で床に設置される状態を示し、これらの据え置きタイプの空気清浄機４３の基本構造は、前記図９の壁付けタイプの空気清浄機４３と同様であり、対応する部分には同一符号を付しておく。
【００１９】
図１０、図１１において、ハウジング７の前面部にグリル９を着脱自在に取り付けて外郭を構成してあり、グリル９の一側部には、図１０（ｂ）に示すように、格子部２０が設けてあり、また、ハウジング７の一側面部の後部には図１０（ａ）に示すように、別の格子部２１が設けてあり、これら格子部２０，２１がファン１６Ａの回転による空気取り入れ口となっている。また、ハウジング７の他側面部に更に別の格子部２２が設けてあり、この格子部２２が浄化された空気吐出口となっている。
【００２０】
ハウジング７の最上部には、制御回路基板２４（図１１）が配置されている。この制御回路基板２４には、ハウスダストや花粉粒子などの汚れ物質であるダストを検出するダストセンサ２３、赤外線センサなどからなる人体感知センサ２５、臭い成分やガス成分を検知する臭いセンサ３１などがそれぞれ接続されている。
【００２１】
ダストセンサ２３、臭いセンサ３１は、図１２に示す操作パネル３４に設けた格子部３５、３６にそれぞれ面して配置してある。格子部３５、３６は、それぞれ、空気取り入れ口となる格子部２０の近くに配置され、空気取り入れ口に吸引される空気に乗ったダストをダストセンサ２３が検知しやすいものとなっており、一方、空気中の臭い成分やガス成分を臭いセンサ３１が検知しやすいものとなっている。
【００２２】
一方、人体感知センサ２５は操作パネル３４に設けた光透過部３８に面して配置してあり、人体を感知すると、感知信号が制御部（図示せず）に送られて空気清浄機４３を運転し、人体の感知がなくなると空気清浄機４３を停止するように制御される。この人体感知センサ２５を操作パネル３４の中央に配置することで、空気清浄機４３を縦置きに設置しても横置きに設置しても人体感知センサ２５は中央に位置して、人体の感知がしやすくなっている。
【００２３】
操作パネル３４は、縦置き用と横置き用との２種類があり、説明の文字等の向きが縦向き用と横向き用とで異なっている。従って、図１０のような縦向きの場合には縦置き用の操作パネル３４をグリル９の最上部に取り付け、図９、図１１のような横向きの場合には横置き用の操作パネル３４をグリル９の一側部に取り付けるようにすることによって、縦向き、横向きのいずれの場合でも説明の文字の方向が正しい方向となる。
【００２４】
さらに、操作パネル３４には、図１２に示すように、フィルタ交換表示ランプ２７、フィルタ交換表示ランプ２７が点灯したときにこれを消灯するためのリセットボタン２６、電極洗浄ランプ２８、タイマ表示用ＬＥＤ２９、タイマ切り釦３０、風量切り替え釦３３がそれぞれ配置してあり、これらは操作パネル３４の表面側からの操作ができるようにしてある。なお電極洗浄ランプ２８が点灯したときはグリル９を外して内部の電極部分を洗浄する。タイマ表示用ＬＥＤ２９はタイマ表示時間の残り時間を表示するものであり、タイマ切り釦３０を押してタイマ運転時間の残り時間表示を（１，２，３，４）→オフというようにセットできるものである。また風量切り替え釦３３を押すことで、運転モードを自動モード、静音運転モード、標準運転モード→急速運転モード→オフという順番で切り替えることができるようになっている。またタイマ及び風量切替は付属のリモコンでも操作可能になっている。
【００２５】
また、操作パネル３４のダストセンサ２３が設けられる部位とは反対側の端部には、ダストセンサ２３により検知した室内のダストによる汚れ度表示と、臭いセンサ３１により検知した室内汚れ度表示をする表示部５０が設けてある。表示部５０は、制御回路基板２４（図１１）に対して回転自在に挿入してある。これにより空気清浄機４３を縦置きに設置しても横置きに設置しても表示部５０の向きを縦向きにでき、表示が見やすくなるようにしてある。表示部５０は操作パネル３４に設けた汚れ度表示面３７に対応して設けられており、汚れ度表示面３７を通して表示部５０を視認できるようにしてある。
【００２６】
表示部５０は、計測した数値を数字で表示する数字表示部５１と、計測した数値を発光体で表示するモード表示部５２とを備えている。数字表示部５１は、７セグメントＬＥＤや液晶表示等による３桁のデジタル表示とし、モード表示部５２はランプ・ＬＥＤ等による４桁のレベル表示としてある。本発明では、ユーザーの通常使用時には、ダストセンサ２３の汚れ度表示か臭いセンサ３１の汚れ度表示のいずれか一方を数字表示部５１で表示し、他方をモード表示部５２で表示するようにしている。一方、出荷前の工場内でのモータ特性の検査時にあっては、空気清浄機４３の特性項目の１つである回転体１６の回転数を、数字表示部５１又はモード表示部５２のいずれか一方を利用して表示するようにしている。
【００２７】
次に、上記集塵部４の構造について説明する。帯電した粉塵を捕集するための集塵部４は、図２、図３に示すように、帯電部３の下流側に配置されている。帯電部３は、放電部１と対極部２とからなり、放電による活性酸素を発生させると共に放電部１から対極部２に向かう放電により粉塵を帯電させるものである。
【００２８】
本実施形態の集塵部４は、放電部１で電荷が付与された粉塵をクーロンカで電気的に捕捉できるように帯電処理を施したフィルター層４ａからなる。このフィルター層４ａは、除塵層１７と、前述のように活性炭１８ａが収納された脱臭層１８とに分かれている。除塵層１７は、図１に示す例では、多孔質のＰＰ層４１と多孔質のＰＥＴ層４０とからなる２層シートで構成されていると共に、その表面積を確保するために蛇腹状に折り曲げられている。ちなみに、ＰＰ層４１のみでは蛇腹状に折り曲げ難いため、本例ではＰＰ層４１とＰＥＴ層４０とを重ね合わせることで、蛇腹状に折り曲げ易く、その蛇腹形状で保持できるようにしている。
【００２９】
上記除塵層１７には、アセトアルデヒドを除去するためのアミン系化合物１５が添着されている。本実施形態では、アミン系化合物１５は、少なくともＰＥＴ層４０の放電部１側の面に添着されており、放電部１と対向して配置されている。ここで、アミン系化合物１５としては、アセトアルデヒドを除去しうる硫酸アミン、ポリアリルアミン、界面活性剤のうちの１種、または２種以上のものが選ばれる。
【００３０】
なお、アセトアルデヒドを除去しうる界面活性剤としては、カチオン界面活性剤と両性界面活性剤の２つに分けられ、これらをさらに細分化すると、（１）、アミン塩型カチオン界面活性剤（例えば、ソレミンＡ型カチオン界面活性剤、サパミンＡ型カチオン界面活性剤、アーコベル型Ａ型カチオン界面活性剤、イミダゾリン型Ａ型カチオン界面活性剤）。（２）、第４級アンモニウム塩型カチオン界面活性剤（例えば、アルキルトリメチルアンモニウム塩、アルキルジメチルベンジルアンモニウム塩、サパミン型第４級アンモニウム塩）。（３）、カルボン酸塩型両性界面活性剤（例えば、アミノ酸型両性界面活性剤、ベタイン型両性界面活性剤）。（４）、硫酸エステル塩型両性界面活性剤、（５）、スルホン酸塩型両性界面活性剤、（６）、燐酸エステル塩型界面活性剤とに分けられる。本実施形態では、界面活性剤の一例としてアルキルトリメチルアンモニウム塩を使用しているが、必ずしもこれに限られず、上記例示した各種の界面活性剤を１種或いは２種以上を選択的に使用してもよいものである。また、この界面活性剤と上記硫酸アミン、ポリアリルアミンのうちから選ばれた１種、または２種以上を組み合わせて使用してもよいものである。
【００３１】
しかして、集塵部４の除塵層１７に、アミン系化合物１５を添着したことによって、除塵層１７がをアセトアルデヒドを吸着する機能を持つようになる。その作用を図１３に示す。ＰＥＴ層４０上に含浸されている、或いは吸着材７０、バインダー内に含まれているアミノ化合物（−ＮＨ2）にアセトアルデヒド（ＣＨ3ＣＨＯ）が化学吸着され、放電部１より発生するラジカル（活性酸素：Ｏ・）が、化学結合部（Ｃ＝Ｎ）にアタックし、アセトアルデヒドを酸化分解させ、もとの化合物に戻る。これにより、アセトアルデヒドを十分に除去できるようになる。そのうえ従来の薬剤処理方式と比較して、初期性能、寿命の面においても十分に満足できるものとなる。なお、たばこ臭に含まれるアンモニアは、除塵層１７の下流に配置される脱臭層１８及び後述のように集塵部４の放電部１側の面に配置される吸着材７０（例えば、シリカゲル）によって除去される結果、清浄な空気を室内に供給できるようになる。
【００３２】
また本例ではアミン系化合物１５を、ＰＥＴ層４０の放電部１側の面に添着して、放電部１と対向させて配置しているので、図１３に示す化学結合部（Ｃ＝Ｎ）にアタックする放電部１からの活性酸素の量が増えることとなり、アセトアルデヒドの酸化分解作用が一層促進されるようになる。
【００３３】
なお、図１の実施形態では、多孔質のＰＥＴ層４０にアミン系化合物１５を含浸させている。
【００３４】
また、アセトアルデヒドの除去効果をより高める例として、図４に示すように、上記アミン系化合物１５が添着されているＰＥＴ層４０の放電部１側の面に、酸化亜鉛等の酸化触媒６０を担持させるようにしてもよい。この酸化亜鉛は、活性酸素で励起されてアセトアルデヒド等の臭気成分の酸化分解を促進させる働きをする。また、図５に示すように、アミン系化合物１５が添着されているＰＥＴ層４０の放電部１側の面に、吸着材７０（例えば、シリカゲル）を担持させてもよく、この場合、たばこ臭等に含まれるアンモニアがシリカゲルに吸着されるので、除塵層１７にはアンモニアの含有量の少ない空気が通過するようになり、アミン系化合物１５によるアセトアルデヒドの除去効率を高めることができる。
【００３５】
また図６に示すように、ＰＥＴ層４０の放電部１側の面に、アミン系化合物１５を含浸させた吸着材７０（例えば、シリカゲル）を担持させてもよい。この場合、ＰＥＴ層４０には、アミン系化合物１５は含浸されず、ＰＥＴ層４０上の放電部１側の面に、シリカゲルとアミン系化合物１５との一体物を担持させることにより、ＰＥＴ層４０上にアミン系化合物１５を含浸させる工程を省略でき、生産性を良くしながらアセトアルデヒドの除去効率を高めることができる。なお図６の変形例として、図１、図４、図５のようにアミン系化合物１５が添着されているＰＥＴ層４０上に、更に別にアミン系化合物１５を含浸させたシリカゲルを担持させるようにすることも可能である。
【００３６】
図７は更に他の実施形態としてアミン系化合物１５が添着されているＰＥＴ層４０の放電部１側の面に、アミン系化合物１５を混合させたバインダーを用いて、酸化触媒６０（例えば、酸化亜鉛）を担持させた場合の一例を示している。この場合、ＰＥＴ層４０にバインダーを塗布するだけで、アミン系化合物１５と酸化触媒６０の両方をＰＥＴ層４０に担持させることができるものである。
【００３７】
【実施例】
以下本発明の実施例を説明する。
（実施例１）
ＰＥＴ層４０を、硫酸アンモニウム塩５ｗｔ％、グリセリン５ｗｔ％、燐酸ナトリウム５ｗｔ％、水８５ｗｔ％に調整された溶液に含浸させる。そして、乾燥した後に、ＰＰ層４１を貼りあわせ、蛇腹状に折ったフィルターを作製した。
（実施例２）
上記実施例１のフィルターと放電部とを組み合わせたブロック（図１）を作製した。
（実施例３）
上記実施例１の硫酸アンモニウム塩に代えて、ポリアリルアミンを用い、実施例１と同じ条件で作製したフィルターと放電部とを組み合わせたブロック（図１）を作製した。
（実施例４）
上記実施例１の硫酸アンモニウム塩に代えて、アルキルトリメチルアンモニウム塩を用いて、実施例１と同じ条件で作製したフィルターと放電部とを組み合わせたブロック（図１）を作製した。
（実施例５）
ＰＥＴ層４０に、酸化亜鉛（粒径３０μｍ＜Ｄｐ（直径ピッチ）＜１００μｍ）を、１ｍ２あたり５ｇになるようにバインダーにて担持させたものを作製し、ＰＰ層４１を貼りあわせて、蛇腹状に折ったフイルターを作製し、放電部と組合せたブロック（図４）を作製した。
（実施例６）
ＰＥＴ層４０に、シリカゲル（粒径３０μｍ＜Ｄｐ＜１００μｍ）を、１ｍ２あたり５ｇになるようバインダーにて担持させたものを作製し、ＰＰ層４１を貼りあわせて、蛇腹状に折ったフィルターを作製し、放電部と組合せたブロック（図５）を作製した。
（実施例７）
ＰＥＴ層４０に、粒径３０μｍ＜Ｄｐ＜１００μｍのシリカゲルと、硫酸アンモニウム塩５ｗｔ％、グリセリン５ｗｔ％、燐酸ナトリウム５ｗｔ％、水８５ｗｔ％に調整された溶液とをバインダーにて担持させたものを作製し、ＰＰ層４１を貼りあわせて、蛇腹状に折ったフィルターを作製し、放電部と組合せたブロック（図６）を作製した。
（実施例８）
ＰＥＴ層４０に、酸化亜鉛（粒径３０μｍ＜Ｄｐ＜１００μｍ）を、１ｍ２あたり５ｇになるように、バインダーに硫酸アンモニウムを重量比１０％溶かしたものを用いて担持し、ＰＰ層４１を貼りあわせて、蛇腹状に折ったフィルターを作製し、放電部と組合せたブロック（図７）を作製した。
（実施例９）
ＰＥＴ層４０を炭酸ヒドラジン（塩）５ｗｔ％、グリセリン５ｗｔ％、燐酸ナトリウム５ｗｔ％、水８５ｗｔ％に調整された溶液に含浸させる。そして、乾燥した後にＰＰ層４１を貼りあわせて、蛇腹状に折ったフィルターを作製した。
（実施例１０）
ＰＥＴ層４０を燐酸ヒドラジン（塩）５ｗｔ％、グリセリン５ｗｔ％、燐酸ナトリウム５ｗｔ％、水８５ｗｔ％に調整された溶液に含浸させる。そして、乾燥した後にＰＰ層４１を貼りあわせて、蛇腹状に折ったフィルターを作製した。
【００３８】
なお、上記実施例１〜１０において、評価は、１０ｃｍ角のブロックに、通過風速１０ｃｍ／ｓで、アセトアルデヒドのガス濃度１０ｐｐｍを通過させた時の、通過前後の濃度を検知管（ガステック社製）を使い、評価を実施した。その結果を下記表１に示す。
【００３９】
【表１】
0003991694.tif 000002
【００４０】
ただし、除塵層を構成するフィルター層の材質は、ＰＥＴ層４０とＰＰ層４１とに限定されるものではなく、例えば紙、植物繊維、動物繊維、合成繊維または無機繊維等を編成、物理・化学的接着等による編み物、不織布等に加工した多孔質シートであればよい。また、実施例１の硫酸アンモニウムには限定せずに、アミン化合物に属するものであればよく、またグリセリンには限定せず、保湿材化合物であればよく、また、燐酸ナトリウムには限定せず、ＰＨ調整液（ＰＨが変わると溶液が凝縮したりするため、ＰＨを７〜１０程度の範囲にコントロールするために使用される）であればよいものである。このことは実施例２〜１０においても同様である。また、実施例８の酸化亜鉛には限定せずに、酸化金属であればよい。さらに実施例５〜８のバインダー、実施例６、７の吸着材は、特に限定しない。
【００４１】
【発明の効果】
上述のように請求項１記載の発明にあっては、放電部と対極部とからなり、放電による活性酸素を発生させると共に放電部から対極部に向かう放電により粉塵を帯電させる帯電部と、放電部で電荷が付与された粉塵をクーロンカで電気的に捕捉できるように帯電処理を施した集塵部と、帯電部及び集塵部に空気を送る送風手段とを具備し、上記集塵部のフィルター層にアセトアルデヒドを除去するためのアミン系化合物を添着し、このアミン系化合物は、硫酸アミン、ポリアリルアミン、界面活性剤のうちの１種、又は２種以上で構成されているので、集塵部に吸い込まれた空気がフィルター層を通過する際に、アミン系化合物にアセトアルデヒドが化学吸着され、放電部より発生する活性酸素によってアセトアルデヒドが酸化分解され、アセトアルデヒドを十分に除去できる空気清浄機を提供することができる。
【００４２】
また、集塵部のフィルター層は、放電部側に配置される除塵層と、放電部側と反対側に配置される脱臭層とからなり、除塵層の少なくとも放電部側の面にアミン系化合物が添着されているので、アミン系化合物とアセトアルデヒドとの化学結合部に対してアタックする活性酸素の量が増え、アセトアルデヒドの酸化分解が促進されることとなる。
【００４３】
また請求項２記載の発明は、請求項１記載の効果に加えて、除塵層の放電部側に酸化触媒を担持させたので、酸化触媒が放電部からの活性酸素で励起されることで、アセトアルデヒドの酸化分解がより促進されるようになる。
【００４４】
また請求項３記載の発明は、請求項１記載の効果に加えて、除塵層の放電部側に吸着材を担持させたので、たばこ臭等に含まれるアンモニアが吸着材にて除去されるので、除塵層にはアンモニアの含有量の少ない空気が通過することとなり、アミン系化合物によるアセトアルデヒドの除去効率が高められる。
【００４５】
また請求項４記載の発明は、請求項１のアミン系化合物を吸着材に含浸させたものをフィルター層に担持させたので、請求項１記載の効果に加えて、フィルター層にアミン系化合物を添着させる工程を省略できると共に、吸着材とアミン系化合物とを同時に担持させることができ、生産性を良くしながらアセトアルデヒドの除去効率を高めることができる。
【００４６】
また請求項５記載の発明は、請求項２記載の効果に加えて、アミン系化合物を混合したバインダーにより、酸化触媒を除塵層に担持させたので、除塵層にバインダーを塗布するだけで、アミン系化合物と酸化触媒の両方を同時に担持させることができ、生産性が良くしながらアセトアルデヒドの除去効率を高めることができる。
【図面の簡単な説明】
【図１】本発明の実施形態の一例を示す除塵層と放電部の概略図である。
【図２】同上のプレフィルターと帯電部とアミン系化合物を含有する集塵部の概略図である。
【図３】同上の集塵部の概略断面図である。
【図４】同上の除塵層の他例の概略図である。
【図５】同上の除塵層の更に他例の概略図である。
【図６】同上の除塵層の更に他例の概略図である。
【図７】同上の除塵層の更に他例の概略図である。
【図８】同上のプレフィルターと帯電部とアミン系化合物を含有する集塵部の概略斜視図である。
【図９】同上の空気清浄機内部を説明する断面図である。
【図１０】同上の空気清浄機の他例を示し、（ａ）は平面図、（ｂ）は正面図である。
【図１１】同上の空気清浄機のグリルを取り除いた状態の正面図である。
【図１２】同上の操作パネル付近の正面図である。
【図１３】同上のアミン系化合物にてアセトアルデヒドを除去する化学式の一例を表した図である。
【符号の説明】
１ 放電部
２ 対極部
３ 帯電部
４ 集塵部
４ａ フィルター層
１５ アミン系化合物
１７ 除塵層
１８ 脱臭層
６０ 酸化触媒
７０ 吸着材
【図１】
0003991694.tif 000003
【図２】
0003991694.tif 000004
【図３】
0003991694.tif 000005
【図４】
0003991694.tif 000006
【図５】
0003991694.tif 000007
【図６】
0003991694.tif 000008
【図７】
0003991694.tif 000009
【図８】
0003991694.tif 000010
【図９】
0003991694.tif 000011
【図１０】
0003991694.tif 000012
【図１１】
0003991694.tif 000013
【図１２】
0003991694.tif 000014
【図１３】
0003991694.tif 000015